(57)【要約】【課題】表示装置が設置されている位置が変更される場合であっても、変更される位置に応じたアクセス制限の設定にかかる手間を削減することができる手法を提供する。【解決手段】表示装置であって、前記表示装置が設置されている位置を取得する位置取得部と、前記表示装置が表示可能な画像を示す画像情報へのアクセスが制限される第１位置と、前記画像情報へのアクセスが許可される第２位置とを示す制御情報を用いて、前記位置取得部が取得した前記位置が前記第１位置である場合に前記画像情報へのアクセスを制限し、前記位置取得部が取得した前記位置が前記第２位置である場合に前記画像情報へのアクセスを許可する制御部と、を含む。【選択図】図２
2019095579.tif 000002
【特許請求の範囲】
【請求項１】
表示装置であって、
前記表示装置が設置されている位置を取得する位置取得部と、
前記表示装置が表示可能な画像を示す画像情報へのアクセスが制限される第１位置と、前記画像情報へのアクセスが許可される第２位置とを示す制御情報を用いて、前記位置取得部が取得した前記位置が前記第１位置である場合に前記画像情報へのアクセスを制限し、前記位置取得部が取得した前記位置が前記第２位置である場合に前記画像情報へのアクセスを許可する制御部と、
を含むことを特徴とする表示装置。
【請求項２】
前記制御情報を記憶する記憶部を、含むことを特徴とする請求項１に記載の表示装置。
【請求項３】
前記画像情報を選択する操作を受け付ける受付部を、含むことを特徴とする請求項１または２に記載の表示装置。
【請求項４】
前記表示装置とは異なる第１装置が、前記画像情報を記憶しており、
前記制御部は、前記制御情報を用いて、前記位置取得部が取得した前記位置が前記第１位置である場合に前記第１装置への通信を制限することにより、前記画像情報へのアクセスを制限する、
ことを特徴とする請求項１から３のいずれか１項に記載の表示装置。
【請求項５】
前記表示装置とは異なる第２装置から前記制御情報を取得する制御情報取得部を、含むことを特徴とする請求項１から４のいずれか１項に記載の表示装置。
【請求項６】
前記制御情報を、前記表示装置とは異なる第１表示装置に提供する提供部を、含むことを特徴とする請求項１から５のいずれか１項に記載の表示装置。
【請求項７】
前記制御部は、前記位置取得部が取得した前記位置が前記第１位置と前記第２位置とのいずれでもない場合に、前記表示装置の電源を遮断することにより、前記画像情報へのアクセスを制限する、
ことを特徴とする請求項１から６のいずれか１項に記載の表示装置。
【請求項８】
表示部を含み、
前記制御部は、前記位置取得部が取得した前記位置が前記第１位置と前記第２位置とのいずれでもない場合に、前記画像情報へのアクセスを制限することに加えて、前記表示装置が盗難にあった旨を示す画像の表示を前記表示部に実行させる、
ことを特徴とする請求項１から６のいずれか１項に記載の表示装置。
【請求項９】
表示装置が、
前記表示装置が設置されている位置を取得し、
前記表示装置が表示可能な画像を示す画像情報へのアクセスが制限される第１位置と、前記画像情報へのアクセスが許可される第２位置とを示す制御情報を用いて、取得した前記位置が前記第１位置である場合に前記画像情報へのアクセスを制限し、取得した前記位置が前記第２位置である場合に前記画像情報へのアクセスを許可する、
ことを特徴とする表示装置の制御方法。
【発明の詳細な説明】
【技術分野】
【０００１】
本発明は、表示装置、および表示装置の制御方法に関する。
【背景技術】
【０００２】
特許文献１には、可搬型の記憶媒体が挿抜可能であり、挿し込まれた記憶媒体に記憶されている画像情報が示す画像を表示するプロジェクター等の表示装置が記載されている。特許文献２には、インターネットを介してＷｅｂサーバーに接続し、そのＷｅｂサーバーに記憶されている画像情報を取得し、取得した画像情報が示す画像を表示する表示装置が記載されている。
【先行技術文献】
【特許文献】
【０００３】
【特許文献１】特開２０１５−１７９９７６号公報
【特許文献２】特開２００２−１４９１４０号公報
【発明の概要】
【発明が解決しようとする課題】
【０００４】
上述した従来の表示装置は、その表示装置が設置されている位置がどこであっても、表示可能な画像を表示してしまっていた。従って、機密情報である画像情報を記憶する表示装置が、外部の人間が立ち入り可能な位置に設置されている場合、外部の人間に機密情報が閲覧される虞があった。そのため、表示装置の管理者は、機密情報の漏えいを抑止するためには、例えば、表示装置が設置されている位置が変更される度に、表示可能な画像の画像情報へのアクセス制限を設定する必要があり、手間がかかっていた。
【０００５】
本発明は、表示装置が設置されている位置が変更される場合であっても、変更される位置に応じたアクセス制限の設定にかかる手間を削減することができる手法を提供することを解決課題の一つとする。
【課題を解決するための手段】
【０００６】
本発明の好適な態様（第１態様）にかかる表示装置は、表示装置であって、前記表示装置が設置されている位置を取得する位置取得部と、前記表示装置が表示可能な画像を示す画像情報へのアクセスが制限される第１位置と、前記画像情報へのアクセスが許可される第２位置とを示す制御情報を用いて、前記位置取得部が取得した前記位置が前記第１位置である場合に前記画像情報へのアクセスを制限し、前記位置取得部が取得した前記位置が前記第２位置である場合に前記画像情報へのアクセスを許可する制御部と、を含む。
以上の態様では、表示装置が設置されている位置が変更される度にアクセス制限の設定を変更しなくてよくなるため、アクセス制限の設定にかかる管理者の手間を軽減することが可能になる。表示装置が表示可能な画像を示す画像情報は、表示装置がアクセス可能な記憶部が記憶している画像情報でもよいし、その記憶部が記憶している複数の画像情報の中から、ユーザーによって表示対象の画像を示す画像情報として選択された画像情報でもよい。
【０００７】
第１態様の好適例（第２態様）において、前記制御情報を記憶する記憶部を含む。
以上の態様では、表示装置が設置されている位置が、制御情報を有する装置が接続されているネットワークにアクセスできない位置であっても、ネットワークに接続されている装置が有する制御情報ではなく、記憶部に記憶された制御情報を用いて、画像情報へのアクセスの制限を設定することが可能になる。
【０００８】
第１態様または第２態様の好適例（第３態様）において、前記画像情報を選択する操作を受け付ける受付部を、含む。
以上の態様では、表示装置のユーザーが表示したい画像を示す画像情報へのアクセス制限を行うことが可能になる。
【０００９】
第１態様から第３態様の好適例（第４態様）において、前記表示装置とは異なる第１装置が、前記画像情報を記憶しており、前記制御部は、前記制御情報を用いて、前記位置取得部が取得した前記位置が前記第１位置である場合に前記第１装置への通信を制限することにより、前記画像情報へのアクセスを制限する。
以上の態様では、表示装置の設置位置が第１位置である場合に第１装置への通信が制限されるため、画像情報へのアクセスの制限を設定することが可能になることに加えて、表示装置にかかる通信負荷も抑制することが可能になる。
【００１０】
第１態様から第４態様の好適例（第５態様）において、前記表示装置とは異なる第２装置から前記制御情報を取得する制御情報取得部を、含む。
以上の態様では、表示装置は、第２装置において生成された制御情報を取得することが可能になる。表示装置が複数あれば、複数の表示装置の各々は、第２装置から制御情報を取得する。このため、例えば、管理者は、第２装置に制御情報を設定することにより、複数の表示装置が同じ制御情報を使用する状況を生成できる。よって、管理者が、複数の表示装置について個別に同じ制御情報を設定する場合に比べて、管理者が制御情報を設定する手間を軽減することが可能になる。
【００１１】
第１態様から第５態様の好適例（第６態様）において、前記制御情報を、前記表示装置とは異なる第１表示装置に提供する提供部を、含む。
以上の態様では、表示装置と第１表示装置とが、同じ制御情報を使用する状況を生成できる。[0]よって、管理者が、表示装置と第１表示装置とについて個別に同じ制御情報を設定する場合に比べて、管理者が制御情報を設定する手間を軽減することが可能になる。
【００１２】
第１態様から第６態様の好適例（第７態様）において、前記制御部は、前記位置取得部が取得した前記位置が前記第１位置と前記第２位置とのいずれでもない場合に、前記表示装置の電源を遮断することにより、前記画像情報へのアクセスを制限する。
以上の態様では、表示装置が設置されている位置が第１位置と第２位置とのいずれでもなければ、表示装置が盗難にあったとみなして表示装置の電源を遮断することにより、画像情報へのアクセスの制限に加えて、更なる情報流出を抑制することが可能になる。
【００１３】
第１態様から第６態様の好適例（第８態様）において、表示部を含み、前記制御部は、前記位置取得部が取得した前記位置が前記第１位置と前記第２位置とのいずれでもない場合に、前記画像情報へのアクセスを制限することに加えて、前記表示装置が盗難にあった旨を示す画像の表示を前記表示部に実行させる。
以上の態様では、画像情報へのアクセス制限することに加えて、表示装置が盗難にあった旨を示す画像を表示するため、画像情報が示す画像の流出を抑えられ、かつ、表示装置を盗んだ者に警告を与えることが可能になる。
【００１４】
本発明の好適な態様（第９態様）にかかる表示装置の制御方法は、前記表示装置が、前記表示装置が設置されている位置を取得し、前記表示装置が表示可能な画像を示す画像情報へのアクセスが制限される第１位置と、前記画像情報へのアクセスが許可される第２位置とを示す制御情報を用いて、取得した前記位置が前記第１位置である場合に前記画像情報へのアクセスを制限し、取得した前記位置が前記第２位置である場合に前記画像情報へのアクセスを許可する。
以上の態様では、表示装置が設置されている位置が変更される度にアクセス制限の設定を変更しなくてよくなるため、アクセス制限の設定にかかる管理者の手間を軽減することが可能になる。
【図面の簡単な説明】
【００１５】
【図１】第１実施形態にかかるプロジェクター１００の動作例を示す説明図。
【図２】第１実施形態にかかるプロジェクター１００の一例を示した図。
【図３】投射部１７の一例を示した図。
【図４】制御情報１８１の一例を示した図。
【図５】プロジェクター１００の動作を説明するためのフローチャート。
【図６】第２実施形態にかかるプロジェクター１００の一例を示した図。
【発明を実施するための形態】
【００１６】
以下、本発明を実施するための形態について図面を参照して説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１７】
＜第１実施形態＞
図１は、第１実施形態にかかるプロジェクター１００の動作例を示す説明図である。図１に示すプロジェクター１００（表示装置の例）は、企業Ａが所有する建物ＢＤ内にある。建物ＢＤは、３階建てである。建物ＢＤの１階（１Ｆ）は、企業Ａの来客者用の空間であり、建物ＢＤの３階（３Ｆ）は、企業Ａの役員等が使用する会議室を含む空間である。プロジェクター１００がアクセス可能な記憶部には、前述した役員等が閲覧する画像を示す画像情報ＰＩが記憶されている。画像情報ＰＩは、プロジェクター１００が表示可能な画像を示す。プロジェクター１００がアクセス可能な記憶部とは、例えば、プロジェクター１００の記憶部１８（図２参照）、またはネットワークを介してプロジェクター１００がアクセス可能な記憶部である。
【００１８】
画像情報ＰＩの情報の形式は、例えば、プレゼンテーションファイルや文書ファイル、ＪＰＥＧ（Joint Photographic Experts Group）等の画像ファイルである。画像情報ＰＩの内容は、例えば、企業Ａの機密情報である。機密情報としては、例えば、企業Ａの経営情報、財務情報、研究開発情報、または人事情報等が挙げられる。
【００１９】
図１では、プロジェクター１００が、企業Ａの社員等によって、１階から３階に移動したことを示す。移動前において、企業Ａの社員ではない外部の人間によるプロジェクター１００の操作によって、画像情報ＰＩの画像が表示対象となったとする。プロジェクター１００は、プロジェクター１００が設置されている位置が１階であり、機密情報の漏えいを抑止する必要があるため、画像情報ＰＩへのアクセスを制限する。画像情報ＰＩへのアクセスを制限するとは、画像情報ＰＩへの読み出し、書き込み、および削除を禁止することである。画像情報ＰＩへの読み出しが禁止されることにより、プロジェクター１００は、画像情報ＰＩが示す画像を投射しない。
【００２０】
移動後において、企業Ａの役員によるプロジェクター１００の操作によって、画像情報ＰＩの画像が表示対象となったとする。プロジェクター１００は、プロジェクター１００が設置されている位置が３階であり、機密情報の漏えいを抑止しなくてよいため、画像情報ＰＩへのアクセスを許可し、画像情報ＰＩが示す画像を投射する。
【００２１】
以下、プロジェクター１００が設置されている位置を、「プロジェクター１００の設置位置」と称する。アクセスが制限される位置（第１位置の例）を、「アクセス制限位置」と称する。同様に、アクセスが許可される位置（第２位置の例）を、「アクセス許可位置」と称する。
【００２２】
図２は、プロジェクター１００の一例を示した図である。プロジェクター１００は、ＧＰＳ（Global Positioning System）モジュール１０と、気圧センサー１２と、受付部１４と、通信部１６と、投射部１７（表示部の一例）と、記憶部１８と、処理部２０とを含む。
【００２３】
ＧＰＳモジュール１０は、ＧＰＳ衛星からの衛星信号に基づいて、プロジェクター１００の設置位置を特定する。気圧センサー１２は、プロジェクター１００の周辺の気圧を測定する。
【００２４】
受付部１４は、画像情報ＰＩを選択する操作を受け付ける。例えば、受付部１４は、プロジェクター１００が有するボタン、またはリモコンによって操作を受け付ける。または、プロジェクター１００が、インタラクティブ機能を有する場合には、受付部１４は、指示体による操作を受け付けてもよい。指示体としては、電子ペンまたはユーザーの指が用いられる。ユーザーの指の位置の検出には、プロジェクター１００が有するレーザーカーテンユニット（不図示）から照射されるレーザーカーテンが用いられる。投射面ＳＣに指を近づけると、レーザー光が指で反射される。プロジェクター１００はカメラ（不図示）で投射面ＳＣを撮影し、カメラでの撮影結果を用いて反射光から指の位置を特定する。電子ペンの位置の特定には、電子ペンが自ら発光する光が用いられる。プロジェクター１００がインタラクティブ機能を有さない場合、レーザーカーテンユニットおよびカメラはプロジェクター１００から省略されてもよい。
【００２５】
通信部１６は、Ｗｅｂサーバー３００（第１装置の例）と通信し、管理者端末４００（第２装置の例）とも通信する。管理者端末４００は、プロジェクター１００を管理する管理者が操作する端末であり、例えば、ＰＣ（Personal Computer）、またはタブレット端末である。管理者は、プロジェクター１００の管理として、建物ＢＤ内において、アクセス制限位置となる空間、およびアクセス許可位置となる空間を指定する。管理者端末４００は、管理者の操作に基づいて、制御情報１８１を生成する。Ｗｅｂサーバー３００は、建物ＢＤ内のサーバーでもよいし、インターネットを介して接続可能なサーバーでもよい。
【００２６】
通信部１６は、さらに、プロジェクター１００が複数ある場合には、自装置となるプロジェクター１００とは異なるプロジェクター５００（第１表示装置の例）と通信する。
【００２７】
投射部１７は、画像を投射面ＳＣに投射して表示する。投射部１７の構成について、図３を用いて説明する。
【００２８】
図３は、投射部１７の一例を示した図である。投射部１７は、光源１７１と、光変調装置の一例である３つの液晶ライトバルブ１７２（１７２Ｒ，１７２Ｇ，１７２Ｂ）と、投射光学系の一例である投射レンズ１７３と、ライトバルブ駆動部１７４等を含む。投射部１７は、光源１７１から射出された光を液晶ライトバルブ１７２で変調して画像（画像光）を形成し、画像を投射レンズ１７３から拡大投射する。画像は、投射面ＳＣに表示される。
【００２９】
光源１７１は、キセノンランプ、超高圧水銀ランプ、ＬＥＤ、またはレーザー光源等から形成される光源部１７１ａと、光源部１７１ａが放射した光の方向のばらつきを低減するリフレクター１７１ｂとを含む。光源１７１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１７２Ｒ，１７２Ｇ，１７２Ｂに入射する。
【００３０】
液晶ライトバルブ１７２は、一対の透明基板間に液晶が封入された液晶パネル等によって構成される。液晶ライトバルブ１７２には、マトリクス状に配列された複数の画素１７２ｐからなる矩形の画素領域１７２ａが形成されている。液晶ライトバルブ１７２では、液晶に対して画素１７２ｐごとに駆動電圧を印加することが可能である。ライトバルブ駆動部１７４が、投射面ＳＣに投射する画像を示す画像情報に応じた駆動電圧を各画素１７２ｐに印加すると、各画素１７２ｐは、画像情報に応じた光透過率に設定される。このため、光源１７１から射出された光は、画素領域１７２ａを透過することで変調され、投射面ＳＣに投射する画像情報に応じた画像が色光ごとに形成される。
【００３１】
図２の説明に戻る。
記憶部１８は、コンピューター読み取り可能な記録媒体である。記憶部１８は、例えば、不揮発性メモリーの一つであるフラッシュメモリーである。記憶部１８は、フラッシュメモリーに限らず適宜変更可能である。記憶部１８は、例えば、制御情報１８１と、種々の情報と、処理部２０が実行するプログラムとを記憶する。画像情報ＰＩは、記憶部１８に記憶されていることがある。制御情報１８１について、図４を用いて説明する。
【００３２】
図４は、制御情報１８１の一例を示した図である。制御情報１８１は、アクセス制限位置と、アクセス許可位置とを示す。複数の画像情報ＰＩを制御情報１８１に登録する場合、制御情報１８１は、画像情報ごとに対して、アクセス制限位置と、アクセス許可位置とを示す。図４に示す制御情報１８１は、レコード１８１１、およびレコード１８１２を有する。
【００３３】
図４に示す制御情報１８１は、画像情報格納位置と、設置可能位置と、アクセス制限の有無というフィールドを有する。画像情報格納位置は、画像情報の格納位置を示す。より具体的には、画像情報の格納位置は、プロジェクター１００の内部の記憶領域もしくはプロジェクター１００に挿し込まれた外部メモリーを示すファイルパス、または、Ｗｅｂサーバー３００の記憶領域を示すＵＲＩ（Uniform Resource Identifier）である。図４に示す制御情報１８１では、説明の簡略化のため、画像情報の格納位置を単に「ＰＩ」と記載する。
設置可能位置は、プロジェクター１００を設置することを可能とする位置を示す。より具体的には、設置可能位置は、例えば、プロジェクター１００を設置することを可能とする緯度、経度、および高度によって示される。図３に示す制御情報１８１では、説明の簡略化のため、設置可能位置は、単に、建物ＢＤ内の階数を示す。アクセス制限の有無は、同一レコード内の設置可能位置が示す位置が、同一レコード内の画像情報のアクセス制限位置かアクセス許可位置かを示す。
【００３４】
例えば、レコード１８１１は、建物ＢＤの１階が、画像情報ＰＩのアクセス制限位置であることを示す。同様に、レコード１８１２は、建物ＢＤの３階が、画像情報ＰＩのアクセス許可位置であることを示す。
【００３５】
図２の説明に戻る。
処理部２０は、ＣＰＵ（Central Processing Unit）等のコンピューターである。処理部２０は、１または複数のプロセッサーで構成してもよい。処理部２０は、記憶部１８に記憶されたプログラムを読み取り実行することによって、記憶部閲覧部２０１と、Ｗｅｂ閲覧部２０２と、位置取得部２０３と、制御情報取得部２０４と、制御部２０５と、提供部２０６とを実現する。なお、処理部２０を構成する１または複数のプロセッサーによって、記憶部閲覧部２０１と、Ｗｅｂ閲覧部２０２と、位置取得部２０３と、制御情報取得部２０４と、制御部２０５と、提供部２０６とが実現されてもよい。
【００３６】
位置取得部２０３は、プロジェクター１００の設置位置を取得する。具体的には、位置取得部２０３は、ＧＰＳモジュール１０が特定した位置を、気圧センサー１２が測定した気圧に応じた高度で補正した位置を取得する。一般的に、ＧＰＳモジュール１０は、緯度方向および経度方向の位置推定の精度を向上させる代わりに高度方向の位置推定の精度を犠牲にしているため、高度の精度が低い。従って、本実施形態では、気圧に応じた高度を用いて、ＧＰＳモジュール１０が特定した位置を補正することにより、精度の高い位置を取得することが可能になる。
【００３７】
制御情報取得部２０４は、制御情報１８１を取得する。例えば、制御情報取得部２０４は、記憶部１８、または、管理者端末４００から、制御情報１８１を取得する。
【００３８】
記憶部閲覧部２０１は、記憶部１８が記憶する複数の画像情報の一覧を示す画像を投射部１７に表示させる。Ｗｅｂ閲覧部２０２は、Ｗｅｂサーバー３００が記憶する複数の画像情報の一覧を示す画像を投射部１７に表示させる。記憶部１８に記憶されている情報が画像情報ＰＩとして選択されてもよいし、Ｗｅｂサーバー３００に記憶されている情報が画像情報ＰＩとして選択されてもよい。例えば、プロジェクター１００は、記憶部閲覧部２０１の処理に対応づけられた第１アイコンと、Ｗｅｂ閲覧部２０２の処理に対応づけられた第２アイコンとを、投射面ＳＣに表示する。そして、プロジェクター１００は、第１アイコンと第２アイコンとのうち、ユーザーが受付部１４等を操作して選択したアイコンに対応づけられた処理を実行する。
【００３９】
まず、第１アイコンが選択された場合を説明する。この場合、記憶部閲覧部２０１は、記憶部１８が記憶する複数の画像情報の一覧を示す画像を投射部１７に投射させ、ユーザーは、表示された画像を閲覧する。例えば、記憶部閲覧部２０１は、前述の複数の画像情報の各画像情報の識別情報の一覧を示す一覧画像情報を生成し、生成した一覧画像情報が示す画像を投射部１７に投射させる。画像情報の識別情報は、例えば、画像情報のファイルパスである。このように、記憶部閲覧部２０１は、ファイルブラウズ機能を実現する。受付部１４は、投射部１７によって投射された画像上のいずれかの画像情報を選択する操作を、画像情報ＰＩを選択する操作として受け付ける。
【００４０】
次に、第２アイコンが選択された場合を説明する。この場合、Ｗｅｂサーバー３００は、前述の複数の画像情報の各画像情報の名称の一覧を示す、ＨＴＭＬ（HyperText Markup Language）に従った情報をプロジェクター１００に送信する。Ｗｅｂ閲覧部２０２は、通信部１６を介してＷｅｂサーバー３００から受信した情報を解析し、各画像情報の識別情報の一覧を示す画像情報を生成し、生成した画像情報が示す画像を投射部１７に投射させる。画像情報の識別情報は、例えば、画像情報のＵＲＩである。このように、Ｗｅｂ閲覧部２０２は、Ｗｅｂブラウズ機能を実現する。受付部１４は、投射部１７によって投射された画像上のいずれかの画像情報を選択する操作を、画像情報ＰＩを選択する操作として受け付ける。
【００４１】
制御部２０５は、画像情報ＰＩへのアクセスを制御する。具体的には、制御部２０５は、制御情報１８１を用いて、位置取得部２０３が取得した設置位置がアクセス制限位置である場合に画像情報ＰＩへのアクセスを制限し、位置取得部２０３が取得した設置位置がアクセス許可位置である場合に画像情報ＰＩへのアクセスを許可する。
画像情報ＰＩが記憶部１８に記憶されている状況でアクセスを許可する場合、制御部２０５は、記憶部１８から画像情報ＰＩを読み出して、画像情報ＰＩが示す画像を投射部１７に投射させる。
画像情報ＰＩがＷｅｂサーバー３００に記憶されている状況でアクセスを許可する場合、制御部２０５は、通信部１６を介してＷｅｂサーバー３００に画像情報ＰＩの取得要求を送信する。Ｗｅｂサーバー３００は、取得要求を受信した場合、画像情報ＰＩをプロジェクター１００に送信する。画像情報ＰＩがＷｅｂサーバー３００に記憶されている状況でアクセスを制限する場合、制御部２０５は、Ｗｅｂサーバー３００への通信を制限することにより、画像情報ＰＩへのアクセスを制限する。
【００４２】
位置取得部２０３が取得した設置位置が、制御情報１８１が示すアクセス制限位置とアクセス許可位置とのいずれでもない場合がある。例えば、プロジェクター１００が盗難にあった際に、前述した場合が起こり得る。この場合に、制御部２０５は、プロジェクター１００の電源を遮断することにより、画像情報ＰＩへのアクセスを制限する。
【００４３】
提供部２０６は、制御情報１８１を、プロジェクター５００に提供する。例えば、提供部２０６は、管理者によるプロジェクター１００の操作によって、制御情報１８１を、プロジェクター５００に提供する。
【００４４】
図５は、プロジェクター１００の動作を説明するためのフローチャートである。受付部１４は、画像情報ＰＩを選択する操作を受け付ける（ステップＳ１）。次に、位置取得部２０３は、プロジェクター１００の設置位置を取得する（ステップＳ２）。そして、制御部２０５は、制御情報１８１を用いて、取得した設置位置がアクセス制限位置か否かを判断する（ステップＳ３）。
【００４５】
取得した設置位置がアクセス制限位置である場合（ステップＳ３：Ｙｅｓ）、制御部２０５は、画像情報ＰＩの格納位置を確認する（ステップＳ４）。画像情報ＰＩの格納位置がプロジェクター１００内である場合（ステップＳ４：プロジェクター１００内）、制御部２０５は、画像情報ＰＩへのアクセスを制限する（ステップＳ５）。画像情報ＰＩの格納位置がＷｅｂサーバー３００内である場合（ステップＳ４：Ｗｅｂサーバー３００内）、制御部２０５は、Ｗｅｂサーバー３００へのアクセスを制限する（ステップＳ６）。画像情報ＰＩの格納位置が他のサーバー内である場合（ステップＳ４：他のサーバー内）、制御部２０５は、他のサーバーへのアクセスを制限する（ステップＳ７）。他のサーバーとは、例えば、ＦＴＰ（File Transfer Protocol）サーバーまたはファイル共有サーバーである。ファイルサーバーは、例えば、ＳＭＢ（Server Message Block）、またはＣＩＦＳ（Common Internet File System）といったファイル共有プロトコルを用いてファイル共有を行う。
【００４６】
一方、取得した設置位置がアクセス制限位置でない場合（ステップＳ３：Ｎｏ）、制御部２０５は、取得した設置位置がアクセス許可位置であるか否かを判断する（ステップＳ８）。取得した設置位置がアクセス許可位置である場合（ステップＳ８：Ｙｅｓ）、制御部２０５は、画像情報ＰＩへのアクセスを許可する（ステップＳ９）。そして、投射部１７は、画像情報ＰＩが示す画像を、投射面ＳＣに投射する（ステップＳ１０）。
【００４７】
取得した設置位置がアクセス許可位置でない場合（ステップＳ８：Ｎｏ）、すなわち、取得した設置位置がアクセス制限位置とアクセス許可位置とのいずれでもない場合、制御部２０５は、プロジェクター１００の電源を遮断する（ステップＳ１１）。
【００４８】
ステップＳ６の処理、ステップＳ７の処理、ステップＳ１０の処理、またはステップＳ１１の処理を終了後、プロジェクター１００は、図５に示した動作を終了する。
【００４９】
第１実施形態に応じたプロジェクター１００およびプロジェクター１００の制御方法では、プロジェクター１００の設置位置が、アクセス制限位置であれば画像情報ＰＩへのアクセスを制限し、アクセス許可位置であれば画像情報ＰＩへのアクセスを許可する。これにより、プロジェクター１００の管理者は、プロジェクター１００の設置位置を変更する度に、アクセス制限を変更する手間を不要にすることが可能になる。
【００５０】
本実施形態では、プロジェクター１００は、制御情報１８１を記憶する記憶部１８を有する。これにより、プロジェクター１００の設置位置が、制御情報１８１を有する装置が接続されているネットワークにアクセスできない位置であっても、ネットワークに接続されている装置が有する制御情報ではなく、記憶部１８に記憶された制御情報１８１を用いて、画像情報ＰＩに対するアクセスを制限することが可能になる。特に、機密情報を扱う空間は、セキュリティーの観点から、ネットワークにアクセスできない場所となることがある。このような空間内であっても、本実施形態のプロジェクター１００は、画像情報ＰＩに対するアクセスを制限することが可能になる。
【００５１】
本実施形態では、画像情報ＰＩを選択する操作を受け付ける受付部１４を有する。これにより、プロジェクター１００は、ユーザーが表示したい画像に関して、アクセス制限を行うことが可能になる。
【００５２】
本実施形態では、Ｗｅｂサーバー３００が、画像情報ＰＩを記憶している際に、プロジェクター１００の設置位置がアクセス制限位置であれば、プロジェクター１００は、Ｗｅｂサーバー３００への通信を制限することにより、画像情報ＰＩへのアクセスを制限する。これにより、プロジェクター１００の設置位置がアクセス制限位置である場合にＷｅｂサーバー３００への通信が制限されるため、画像情報ＰＩへのアクセスの制限を設定することが可能になることに加えて、プロジェクター１００にかかる通信負荷も抑制できる。
【００５３】
本実施形態では、管理者端末４００から制御情報１８１を取得する。これにより、プロジェクター１００は、管理者端末４００において生成された制御情報１８１を取得することが可能になる。プロジェクター１００が複数あれば、複数のプロジェクター１００の各々は、管理者端末４００から制御情報１８１を取得する。このため、例えば、管理者は、管理者端末４００に制御情報１８１を設定することにより、複数のプロジェクター１００が同じ制御情報１８１を使用する状況を設定できる。よって、管理者が、複数のプロジェクター１００に個別に同じ制御情報１８１を設定する場合に比べて、管理者が制御情報１８１を設定する手間を削減することが可能になる。
【００５４】
本実施形態では、制御情報１８１を、プロジェクター５００に送信する。これにより、プロジェクター１００とプロジェクター５００とが、同じ制御情報１８１を使用する状況を生成できる。よって、管理者が、プロジェクター１００とプロジェクター５００とについて個別に同じ制御情報１８１を設定する場合に比べて、管理者が制御情報１８１を設定する手間を軽減することが可能になる。
【００５５】
本実施形態では、プロジェクター１００の設置位置がアクセス制限位置とアクセス許可位置とのいずれでもない場合に、プロジェクター１００の電源を遮断する。プロジェクター１００の設置位置がアクセス制限位置でもアクセス許可位置でもない場合、プロジェクター１００の設置位置がプロジェクター１００を設置することを可能とする位置ではないため、プロジェクター１００が盗難にあったとみなすことができる。従って、本実施形態では、プロジェクター１００が盗難にあったとみなした場合に、プロジェクター１００の電源を遮断することにより、プロジェクター１００が盗難にあった際の情報流出を抑制することが可能になる。
【００５６】
流出を抑制できる情報としては、例えば、画像情報ＰＩの名称と、画像情報ＰＩの属性（作成者の氏名、修正者の氏名等）とである。例えば、画像情報ＰＩの名称に、企業Ａが研究している題名等が含まれており、プロジェクター１００の電源を遮断しない場合には、盗んだ者が、その企業が研究している題名を閲覧可能な機会を常に与えてしまう。同様に、プロジェクター１００の電源を遮断しない場合には、ファイルの属性に記載された画像情報ＰＩの作成者または修正者を閲覧する機会を常に与えてしまう。
本実施形態では、プロジェクター１００の電源を遮断するため、盗んだ者が、画像情報ＰＩが示す画像を閲覧しようとした以降については、画像情報ＰＩの名称と画像情報ＰＩの属性とを閲覧できないようにすることが可能になる。
【００５７】
＜第２実施形態＞
第１実施形態では、制御部２０５は、選択された画像情報ＰＩへのアクセスの制限の有無を決定している。第２実施形態では、制御部２０５は、記憶部１８が記憶している画像情報ＰＩについて、記憶部閲覧部２０１を制御することにより、画像情報ＰＩのアクセス制限の有無を決定する。または、制御部２０５は、Ｗｅｂサーバー３００が記憶している画像情報ＰＩについて、Ｗｅｂ閲覧部２０２を制御することにより、画像情報ＰＩのアクセス制限の有無を決定してもよい。以下、第２実施形態について説明する。なお、以下に例示する各形態及び各変形例において作用や機能が第１実施形態と同様である要素については、第１実施形態で使用した符号を流用して各々の詳細な説明を適宜に省略する。
【００５８】
図６は、第２実施形態にかかるプロジェクター１００の一例を示した図である。まず、図２で説明した、第１アイコンが選択されて、記憶部１８に記憶されている画像情報が画像情報ＰＩとなる例を説明する。
制御部２０５は、位置取得部２０３が取得した設置位置がアクセス制限位置である場合に、機密情報の漏えいを抑止するため、以下に示す２つの方法のいずれかによって、画像情報ＰＩへのアクセスを制限する。
第１の方法は、制御部２０５が、記憶部閲覧部２０１に一覧画像情報を生成させない、すなわち、ファイルブラウズ機能をユーザーに使用させない。これにより、投射面ＳＣに一覧画像情報が表示されないため、ユーザーは、一覧画像情報が示す画像上の画像情報を選択する操作が行えなくなり、制御部２０５は、画像情報ＰＩへのアクセスを制限することができる。
第２の方法は、制御部２０５が、記憶部閲覧部２０１に、記憶部１８が記憶している複数の画像情報のうち、制御情報１８１に示される画像情報を除いた画像情報の識別情報の一覧を示す一覧画像情報を生成させる。これにより、投射面ＳＣには、制御情報１８１に示される画像情報の識別情報が表示されないため、ユーザーは、制御情報１８１に示される画像情報を選択する操作が行えなくなり、制御部２０５は、画像情報ＰＩへのアクセスを制限することができる。
【００５９】
次に、図２で説明した、第２アイコンが選択されて、Ｗｅｂサーバー３００に記憶されている画像情報が画像情報ＰＩとなる例を説明する。制御部２０５は、位置取得部２０３が取得した設置位置がアクセス制限位置である場合に、機密情報の漏えいを抑止するため、以下に示す２つの方法のいずれかによって、画像情報ＰＩへのアクセスを制限する。
第１の方法は、制御部２０５が、Ｗｅｂ閲覧部２０２をＷｅｂサーバー３００にアクセスさせない、すなわち、Ｗｅｂブラウズ機能をユーザーに使用させない。これにより、投射面ＳＣに一覧画像情報が表示されないため、ユーザーは、一覧画像情報が示す画像上の画像情報を選択する操作が行えなくなり、制御部２０５は、画像情報ＰＩへのアクセスを制限することができる。
第２の方法は、制御部２０５が、Ｗｅｂ閲覧部２０２に、Ｗｅｂサーバー３００が記憶している複数の画像情報のうち、制御情報１８１に示される画像情報を除いた画像情報の識別情報の一覧を示す一覧画像情報を生成させる。これにより、投射面ＳＣには、制御情報１８１に示される画像情報の識別情報が表示されないため、ユーザーは、制御情報１８１に示される画像情報を選択する操作が行えなくなり、制御部２０５は、画像情報ＰＩへのアクセスを制限することができる。
【００６０】
第２実施形態において、制御部２０５は、記憶部閲覧部２０１およびＷｅｂ閲覧部２０２を制御してもよいし、記憶部閲覧部２０１およびＷｅｂ閲覧部２０２のいずれか一方を制御してもよい。
【００６１】
第２実施形態に応じたプロジェクター１００およびプロジェクター１００の制御方法では、投射面ＳＣに画像情報ＰＩの識別情報が表示されないため、画像情報ＰＩへのアクセスを制限することができ、さらに、ユーザーに画像情報ＰＩの存在を知られないようにすることが可能になる。
【００６２】
＜変形例＞
本実施形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００６３】
＜第１の変形例＞
上述した各形態では、プロジェクター１００の設置位置がアクセス制限位置とアクセス許可位置とのいずれでもない場合に、プロジェクター１００の電源を遮断したが、プロジェクター１００の電源の遮断に限らない。例えば、プロジェクター１００の設置位置がアクセス制限位置とアクセス許可位置とのいずれでもない場合に、制御部２０５は、画像情報ＰＩへのアクセスを制限することに加えて、プロジェクター１００が盗難にあった旨を示す画像を投射部１７に投射させてもよい。プロジェクター１００が盗難にあった旨を示す画像は、例えば、プロジェクター１００が盗難にあった旨を示す文字列を示す画像である。盗難にあった旨を示す文字列は、例えば、「このプロジェクターは盗難にあったものです」である。
【００６４】
第１変形例に応じたプロジェクター１００およびプロジェクター１００の制御方法によれば、画像情報ＰＩが示す画像を投射しないため、画像情報ＰＩが示す画像に示された情報の流出を抑制することが可能になる。また、プロジェクター１００が盗難にあった旨を示す文字列を示す画像を表示することにより、盗んだ者に警告を与えることが可能になる。
【００６５】
＜第２の変形例＞
上述した各形態において、プロジェクター１００の設置位置がアクセス制限位置とアクセス許可位置とのいずれでもない場合に、さらに、プロジェクター１００の設置位置を管理者端末４００に通知してもよい。これにより、プロジェクター１００が盗難にあった際に、管理者は、プロジェクター１００の設置位置を特定することが可能になる。従って、管理者は、特定した位置に行くことにより、盗難にあったプロジェクター１００を回収することが可能になる。
【００６６】
＜第３の変形例＞
上述した各形態では、複数の画像情報を制御情報１８１に登録する場合、制御情報１８１は、画像情報ごとに、アクセス制限位置と、アクセス許可位置とを示すことを記載したが、これに限らない。例えば、プロジェクター１００を実行するプロセッサーがＯＳ（Operating System）を実行しており、そのＯＳが、階層構造を実現するためにフォルダーを作成可能なファイルシステムの機能を有すると想定する。この想定の基、制御情報１８１は、フォルダーごとに、アクセス制限位置と、アクセス許可位置とを示してもよい。画像情報ＰＩが属するフォルダーが制御情報１８１に示される場合、制御部２０５は、プロジェクター１００の設置位置、および、そのフォルダーに対するアクセス制限位置ならびにアクセス許可位置に基づいて、画像情報ＰＩへのアクセスを許可するか否かを決定する。
【００６７】
＜第４の変形例＞
図５で示したフローチャートにおいて、ステップＳ１の処理を実行した後に、ステップＳ２の処理を実行するという処理順序であったが、この処理順序に限らない。例えば、位置取得部２０３は、プロジェクター１００の電源投入された際に、ステップＳ２の処理として、プロジェクター１００の設置位置を特定してもよい。そして、プロジェクター１００は、ステップＳ１の処理として、ユーザーの操作によって画像情報ＰＩを選択する操作を受け付けた後、ステップＳ３の処理として、電源投入時に特定した位置が、アクセス制限位置か否かを判断してもよい。特に、プロジェクター１００がバッテリーを有さない場合、プロジェクター１００は電源と有線接続することになるため、プロジェクター１００の動作中に、プロジェクター１００の設置位置が大きく変更されることは想定しにくい。従って、電源投入時だけプロジェクター１００の設置位置を特定することにより、画像情報ＰＩを選択する操作を受け付ける度にプロジェクター１００の設置位置を特定することと比較して、プロジェクター１００の設置位置を特定する回数を減らすことが可能になる。さらに、画像情報ＰＩを選択する操作を受け付ける前にプロジェクター１００の設置位置を特定することになるため、画像情報を選択する操作を受け付けてから、画像情報ＰＩへのアクセスを制限するか許可するかを決定するまでにかかる時間を短縮することが可能になる。
【００６８】
＜第５の変形例＞
上述した各形態では、プロジェクター１００の設置位置を、ＧＰＳモジュール１０が特定した位置を、気圧センサー１２が測定した気圧に応じた高度で補正することにより取得したが、これに限らない。例えば、建物ＢＤが、無線ＬＡＮ（Local Area Network）の一規格であるＷｉＦｉ（登録商標）のアクセスポイントを複数有するとし、記憶部１８は、複数のアクセスポイントのそれぞれの位置を記憶し、通信部１６が、ＷｉＦｉに従った無線データ通信を行える前提とする。この前提の基、位置取得部２０３は、通信部１６が取得したアクセスポイントからの信号に基づいて、プロジェクター１００の付近にあるアクセスポイントを特定し、特定したアクセスポイントの位置を、プロジェクター１００の設置位置として特定してもよい。
【００６９】
＜第６の変形例＞
上述した各形態では、プロジェクター１００が、企業Ａが所有する建物ＢＤ内で使用されることを説明したが、これに限らない。例えば、プロジェクター１００は、学校等の教育現場でも使用されることが可能である。例えば、制御情報１８１は、学校内の教室をアクセス制限位置として示し、学校内の職員室をアクセス許可位置として示す。これにより、プロジェクター１００は、教室に移動されたプロジェクター１００を生徒が操作して、インターネットを介してＷｅｂサーバー３００の画像を生徒が閲覧することを制限することが可能になる。
【００７０】
＜第７の変形例＞
上述した各形態における投射部１７では、光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００７１】
＜第８の変形例＞
処理部２０がプログラムを実行することによって実現される要素の全部または一部は、例えばＦＰＧＡ（Field Programmable Gate Array）またはＡＳＩＣ（Application Specific IC）等の電子回路によりハードウェアで実現されてもよいし、ソフトウェアとハードウェアとの協働により実現されてもよい。
【００７２】
＜第９の変形例＞
上述した各形態では、表示装置がプロジェクターであったが、これに限らない。例えば、上述した各形態は、表示装置がＬＣＤ（Liquid Crystal Display）でも適用できる。表示装置がプロジェクターであり、第１表示装置がＬＣＤであってもよいし、表示装置がＬＣＤであり、第１表示装置がプロジェクターであってもよい。
【符号の説明】
【００７３】
１０…ＧＰＳモジュール、１１…モジュール、１２…気圧センサー、１４…受付部、１６…通信部、１７…投射部、１７１…光源、１７１ａ…光源部、１７１ｂ…リフレクター、１７２…液晶ライトバルブ、１７２ａ…画素領域、１７２ｐ…画素、１７３…投射レンズ、１７４…ライトバルブ駆動部、１８…記憶部、２０…処理部、１００，５００…プロジェクター、１８１…制御情報、２０１…記憶部閲覧部、２０２…Ｗｅｂ閲覧部、２０３…位置取得部、２０４…制御情報取得部、２０５…制御部、２０６…提供部、３００…Ｗｅｂサーバー、４００…管理者端末、Ａ…企業、ＰＩ…画像情報。
【図１】
2019095579.tif 000003
【図２】
2019095579.tif 000004
【図３】
2019095579.tif 000005
【図４】
2019095579.tif 000006
【図５】
2019095579.tif 000007
【図６】
2019095579.tif 000008